(57)【特許請求の範囲】
【請求項１】
アクセサリの装着方向に対向する第１の面と、
前記第１の面に設けられた第１の端子列と、
前記第１の面に対して所定角度で傾斜した第２の面と、
前記第２の面に設けられた第２の端子列とを有し、
前記第２の面は、前記第１の面における前記第２の端子列の端子が並ぶ方向と直交する所定方向に対して所定角度で傾斜していて、かつ、前記第１の面に対して所定方向にずれていることを特徴とするアクセサリ用信号端子コネクタ。
【請求項２】
前記第２の面の傾斜方向において前記第１の面に近い側を上方としたとき、
前記第１の面は、前記第２の面よりも上方に設けられ、且つ、前記第２の面よりもアクセサリの装着方向の前方に設けられていることを特徴とする請求項１記載のアクセサリ用信号端子コネクタ。
【請求項３】
前記第１の面と前記第２の面との間に設けられた第３の面を更に有し、
前記第３の面に、前記アクセサリの接続プラグとの接続を規定するための嵌合部材が設けられていることを特徴とする請求項１又は２記載のアクセサリ用信号端子コネクタ。
【請求項４】
前記第１の端子列と第２の端子列の端子のうち、前記嵌合部材に近接する端子のいずれか１つは、前記アクセサリの接続プラグが装着されたことを検出する検出信号端子であることを特徴とする請求項３記載のアクセサリ用信号端子コネクタ。
【請求項５】
前記第２の面に設けられた少なくとも１つの端子は、前記第２の面に設けられた他の端子よりも先に前記アクセサリの接続プラグと接続されるＧＮＤ端子であることを特徴とする請求項１乃至４のいずれか１項に記載のアクセサリ用信号端子コネクタ。
【請求項６】
前記第１の端子列の端子及び第２の端子列の端子は、それぞれフレキシブル基板を介して前記アクセサリが装着されるアクセサリーシュー装置が取り付けられた装置の主基板に接続される端子であることを特徴とする請求項１乃至５のいずれか１項に記載のアクセサリ用信号端子コネクタ。
【請求項７】
前記アクセサリの装着方向に交叉する幅方向の寸法は、前記アクセサリーシュー装置における前記アクセサリが係合する係合部材の係合部間隔よりも広いことを特徴とする請求項６記載のアクセサリ用信号端子コネクタ。
【請求項８】
前記アクセサリーシュー装置に適用され、前記アクセサリーシュー装置に設けられた外部ストロボ用の信号端子よりも前記アクセサリの装着方向の前方に配置されることを特徴とする請求項６又は７記載のアクセサリ用信号端子コネクタ。
【請求項９】
前記アクセサリは、電子ビューファインダであることを特徴とする請求項１乃至８のいずれか１項に記載のアクセサリ用信号端子コネクタ。
【請求項１０】
アクセサリが装着される係合部材と、
前記係合部材に装着される外部ストロボ用の信号端子と、アクセサリ用信号端子コネクタとを備えたアクセサリーシュー装置であって、
前記アクセサリ用信号端子コネクタは、請求項１乃至９のいずれか１項に記載のアクセサリ用信号端子コネクタであることを特徴とするアクセサリーシュー装置。
【請求項１１】
請求項１０記載のアクセサリーシュー装置を備えることを特徴とする撮像装置。
【請求項１２】
請求項１乃至９のいずれか１項のアクセサリ用信号端子コネクタに接続される接続プラグを備えたアクセサリであって、
前記接続プラグは、前記アクセサリ用信号端子コネクタの前記第１の端子列の端子に接続される端子と、前記アクセサリ用信号端子コネクタの前記第２の端子列の端子に接続される端子と、を備えることを特徴とするアクセサリ。
【発明の詳細な説明】
【技術分野】
【０００１】
本発明は、アクセサリを装着するアクセサリーシュー装置に適用されるアクセサリ用信号端子コネクタ、該アクセサリ用信号端子コネクタを適用したアクセサリーシュー装置、及び撮像装置、並びにアクセサリに関する。
【背景技術】
【０００２】
撮像装置として、撮影用アクセサリ（以下、単に「アクセサリ」という。）が装着可能なアクセサリーシュー装置を備えた撮像装置が知られている。撮像装置のアクセサリーシュー装置は、アクセサリを装着するための係合部と電気的接続部とを備えている。そして、近年、撮像装置のアクセサリーシュー装置には、外部ストロボ装置に限らず、種々のアクセサリが装着可能となっている。
【０００３】
このようなアクセサリとして、例えば、小型液晶装置を備えた電子ビューファインダが挙げられる。電子ビューファインダを装着できるアクセサリーシュー装置は、係合部材の形状内に外部ストロボ装置用の接続端子に加えて、電子ビューファインダ用の接続端子が必要となる。外部ストロボ装置用の接続端子と電子ビューファインダ用の接続端子を備えることによって、同一の係合部に対して外部ストロボ装置と電子ビューファインダとを選択的に装着できるようになる。
【０００４】
このように、外部ストロボ装置の接続端子に加えて電子ビューファインダ用の接続端子を備えたアクセサリーシュー装置に関する文献として、特許文献１が挙げられる。
【先行技術文献】
【特許文献】
【０００５】
【特許文献１】特許第４０４２７１７号明細書
【発明の概要】
【発明が解決しようとする課題】
【０００６】
また、近年、電子ビューファインダは、高画素化、高フレームレート化の要請に伴い撮像装置との接続信号端子数が増加する多極化の傾向にある。アクセサリーシュー装置の係合部の形状内において電子ビューファインダ用の接続端子である信号端子コネクタを多極化することは、スペース上の制約を受ける。そこで、信号端子コネクタを多極化するために、接続端子のピッチを狭くすることが考えられる。しかしながら、端子の狭ピッチ化のためには、隣接する接続端子の短絡を防止するために、アクセサリーシュー装置の係合部と電子ビューファインダ用の信号端子コネクタの位置精度を向上させることが必要となり、決して容易ではない。
【０００７】
本発明は、かかる状況に鑑みてなされたものであり、形状が規定されているアクセサリーシュー装置に適用される多極化されたアクセサリ用信号端子コネクタを提供することを目的とする。また、本発明は、このようなアクセサリ用信号端子コネクタを適用したアクセサリーシュー装置、及び撮像装置、並びにアクセサリ用信号端子コネクタに接続されるアクセサリを提供することを目的とする。
【課題を解決するための手段】
【０００８】
上記課題を解決するために、請求項１記載のアクセサリ用信号端子コネクタは、アクセサリの装着方向に対向する第１の面と、前記第１の面に設けられた第１の端子列と、前記第１の面に対して所定角度で傾斜した第２の面と、前記第２の面に設けられた第２の端子列とを有し、前記第２の面は、前記第１の面における前記第２の端子列の端子が並ぶ方向と直交する所定方向に対して所定角度で傾斜していて、かつ、前記第１の面に対して所定方向にずれていることを特徴とする。
【０００９】
また、上記課題を解決するために、請求項１０記載のアクセサリーシュー装置は、アクセサリが装着される係合部材と、前記係合部材に装着される外部ストロボ用の信号端子と、アクセサリ用信号端子コネクタとを備えたアクセサリーシュー装置であって、前記アクセサリ用信号端子コネクタは、請求項１乃至９のいずれか１項に記載のアクセサリ用信号端子コネクタであることを特徴とする。
【００１０】
また、上記課題を解決するために、請求項１１記載の撮像装置は、請求項１０記載のアクセサリーシュー装置を備えることを特徴とする。
【００１１】
また、上記課題を解決するために、請求項１２記載のアクセサリは、請求項１乃至９のいずれか１項のアクセサリ用信号端子コネクタに接続される接続プラグを備えたアクセサリであって、前記接続プラグは、前記アクセサリ用信号端子コネクタの前記第１の端子列の端子に接続される端子と、前記アクセサリ用信号端子コネクタの前記第２の端子列の端子に接続される端子と、を備えることを特徴とする。
【発明の効果】
【００１２】
本発明によれば、形状が規定されているアクセサリーシュー装置に適用される多極化されたアクセサリ用信号端子コネクタを提供することができる。また、本発明によれば、多極化されたアクセサリ用信号端子コネクタを適用したアクセサリーシュー装置、及び撮像装置、並びにアクセサリ用信号端子コネクタに接続されるアクセサリを提供することができる。
【図面の簡単な説明】
【００１３】
【図１】実施の形態に係る撮像装置を示す図であり、図１（ａ）は、背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【図２】図１の撮像装置におけるアクセサリーシュー装置の構成を示す分解斜視図である。
【図３】アクセサリーシュー装置を説明するための図であって、図３（ａ）は、斜視図、図３（ｂ）は、図３（ａ）のアクセサリーシュー装置をＺ方向から見た正面図である。
【図４】アクセサリーシューを説明するための図であり、図４(ａ）は、平面図、図４（ｂ）は、図４(ａ）のＡ−Ａ線に沿った断面図である。
【図５】信号端子コネクタを説明するための図であって、図５（ａ）は、斜視図、図５（ｂ）は、図５（ａ）の信号端子コネクタをＺ方向から見た正面図ある。
【図６】信号端子コネクタの接続端子を示す図であって、図６（ａ）は、図５（ｂ）におけるＡ−Ａ線に沿った断面図、図６（ｂ）は、図５（ｂ）におけるＢ−Ｂ線に沿った断面図である。
【図７】電子ビューファインダの接続プラグをアクセサリーシュー装置の係合部材に装着した状態を説明する図であり、図７（ａ）は斜視図である。図７（ｂ）は、信号端子コネクタの第２の端子列と、接続プラグの端子の接続状態を示す断面図である。
【図８】電子ビューファインダの接続プラグを説明するための図であり、図８（ａ）は、接続プラグ側から見た電子ビューファインダの斜視図、図８（ｂ）は、接続プラグの端子を示す部分拡大図である。
【発明を実施するための形態】
【００１４】
以下、本発明の実施の形態について、図面を参照しつつ詳細に説明する。
【００１５】
図１は、実施の形態に係る撮像装置を示す図であり、図１（ａ）は、背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【００１６】
図１（ａ）において、撮像装置１０は、図示省略した撮像素子に被写体像を取り込むためのレンズ鏡筒１２、液晶モニター１１、アクセサリーシュー装置（以下、単に、「アクセサリーシュー」という。）１３、及びトップカバー２８を備えている。撮像装置１０の使用者は、液晶モニター１１によって被写体像を確認することができる。アクセサリの取り付け部としてのアクセサリーシュー１３は、外装部材としてのトップカバー２８の一部を形成している。
【００１７】
図１（ｂ）において、撮像装置１０のアクセサリーシュー１３にアクセサリとしての外部ストロボ装置（以下、単に、「外部ストロボ」という。）１４が装着されている。外部ストロボ１４は、撮影時に被写体に光を照射するために用いる。また、図１（ｃ）において、撮像装置１０のアクセサリーシュー１３に小型液晶装置を備えた外部表示装置としての電子ビューファインダ１５が装着されている。撮像装置１０の使用者は、電子ビューファインダ１５によって、液晶モニター１１と同様に、撮像素子に取り込まれる被写体像を確認することができる。
【００１８】
また、図１（ｄ）において、電子ビューファインダ１５は、撮像装置本体のアクセサリーシュー１３に接続するための接続プラグ１５ａを備えている。電子ビューファインダ１５は、図１（ｄ）中、矢印Ｚ方向に平行にスライドさせて接続プラグ１５ａとアクセサリーシュー１３を係合させることによって撮像装置１０に装着される。スライド方向は、撮像装置１０の背面側、つまり液晶モニター１１側からレンズ鏡筒１２へ向かう方向である。
【００１９】
次に、撮像装置１０におけるアクセサリーシュー１３の構成について説明する。
【００２０】
図２は、図１の撮像装置１０におけるアクセサリーシュー１３の構成を示す分解斜視図である。
【００２１】
図２において、矢印Ｚ方向は、アクセサリーシュー１３に対するアクセサリの装着方向を示している。また、矢印Ｘ方向は、アクセサリの装着方向と直角に交叉しトップカバー２８の長手方向に平行な方向を示している。矢印Ｙ方向は、アクセサリの装着方向とトップカバー２８の長手方向とに直角に交叉する方向で、トップカバー２８に対するアクセサリーシュー１３の組立方向を示している。なお、トップカバー２８は、撮像装置１０の上面の外観を形成する外装部材である。
【００２２】
アクセサリーシュー１３は、係合部材２０、外部ストロボ１４用の信号端子ステージ２７、アクセサリ用信号端子コネクタ（以下、単に「信号端子コネクタ」ともいう。）２３、及びアクセサリーシュースプリング２６から主として構成されている。
【００２３】
係合部材２０は、アクセサリとしての外部ストロボ１４又は電子ビューファインダ１５を係合保持するための部材である。外部ストロボ用の信号端子ステージ２７（以下、単に、「信号端子ステージ」という。）は、合成樹脂材料で構成されており、該信号端子ステージ２７には、シンクロナイザ接点２１と複数の接点２２が保持されている。信号端子ステージ２７は、係合部材２０の位置決め部によって配置位置が決定される。信号端子ステージ２７は、外部ストロボ装置との間で信号を通信するための端子である。
【００２４】
また、電子ビューファインダ１５用の信号端子コネクタ２３は、合成樹脂材料で形成されたコネクタベース部材に、ピッチ方向であるＸ方向に等ピッチで並設された複数の接続端子を備えている。接続端子の詳細については、後述する。
【００２５】
信号端子ステージ２７のシンクロナイザ接点２１、複数の接点２２、及び信号端子コネクタ２３の接続端子は、それぞれトップカバー２８の下方に配置されたフレキシブル基板３０と電気的に接合される。フレキシブル基板３０は、撮像装置１０の主基板（図示省略）に接続され、外部ストロボ１４や電子ビューファインダ１５と電気的に接続可能に構成されている。これによって、係合部材２０に装着された外部ストロボ１４又は電子ビューファインダ１５は、撮像装置１０と通信可能となる。
【００２６】
信号端子コネクタ２３の全周を囲うようにパッキン部材３１が配置されている。パッキン部材３１は、ゴム部材など小さな力で大きく変形し、かつ大きな弾性歪領域を持った弾性部材で構成されている。
【００２７】
トップカバー２８の下方に配置されたアクセサリーシュー保持部材３２は、係合部材２０を保持する構造躯体であり、トップカバー２８に対して締結部によって位置決めされている。締結部は、例えば、４本のビス２９を備えており、ビス２９は、図２中、係合部材２０、トップカバー２８、及びフレキシブル基板３０を貫通してアクセサリーシュー保持部材３２まで到達し、アクセサリーシュー保持部材３２に締結される。
【００２８】
信号端子ステージ２７は、その外周部が係合部材２０とトップカバー２８によって挟持されることによって固定されている。信号端子コネクタ２３は、トップカバー２８とアクセサリーシュー保持部材３２によって挟持され、パッキン部材３１が押し潰されることによって、トップカバー２８と信号端子コネクタ２３との間の隙間が埋められている。
【００２９】
アクセサリーシュースプリング２６は、導電性を有する金属材料で構成されている。アクセサリーシュースプリング２６は、係合部材２０に装着されたアクセサリをＹ方向に付勢するための弾性変形部と、アクセサリのＺ方向の突き当てを行う突当面を備えている。トップカバー２８には、摺動孔が形成されており、この孔を貫通してアクセサリーシュースプリング２６に当接するように検出ピン３３が設けられている。
【００３０】
接片部材３４は、検出ピン３３を挟んでアクセサリーシュースプリング２６に対向する位置に配置されている。接片部材３４は、アクセサリーシュー１３にアクセサリが装着されていないとフレキシブル基板３０に設けられたパターン（図示省略）に当接している。アクセサリーシュー１３にアクセサリが装着されると、検出ピン３３はアクセサリーシュースプリング２６でＹ方向に押し下げられる。その結果、接片部材３４はフレキシブル基板３０のパターンから離れることによってアクセサリが装着されたことを検出する。このようにして、撮像装置１０にアクセサリが装着されたことが検知され、その後、装着されたアクセサリが撮像装置１０と同期する。
【００３１】
図３は、アクセサリーシュー１３を説明するための図であって、図３（ａ）は、斜視図、図３（ｂ）は、図３（ａ）のアクセサリーシュー１３をＺ方向から見た正面図である。
【００３２】
図３（ａ）において、係合部材２０は、外部ストロボ１４、及び電子ビューファインダ１５を係合保持するための部材である。係合部材２０には、電子ビューファインダ１５の接続プラグ１５ａが装着可能に係合部間隔２０ｐと内側側壁間隔２０ｗが形成されている。係合部材２０の内側には外部ストロボ１４用の信号端子ステージ２７が配置されている。信号端子ステージ２７の中央部にはシンクロナイザ接点２１が設けられており、シンクロナイザ接点２１の近傍に複数の接点２２が設けられている。シンクロナイザ接点２１及び複数の接点２２は、外部ストロボ１４を制御する通信用端子である。
【００３３】
アクセサリーシュー１３に適用される信号端子コネクタ２３は、電子ビューファインダ１５の装着方向であるＺ方向においてシンクロナイザ接点２１より前方に配置されている。シンクロナイザ接点２１と信号端子コネクタ２３の間には第１の係合穴２４が設けられている。係合穴２４は、外部ストロボ１４に設けられたロックピンと係合することによって外部ストロボ１４の撮像装置１０からの脱落を防止する。また、信号端子ステージ２７の複数の接点２２の近傍には第２の係合穴２５が設けられている。第２の係合穴２５は、電子ビューファインダ１５に設けられたロックピンと係合することによって電子ビューファインダ１５の撮像装置１０からの脱落を防止する。
【００３４】
図３（ｂ）において、係合部材２０は、電子ビューファインダ１５の接続プラグ１５ａが装着できるように、係合部間隔２０ｐ、内側側壁間隔２０ｗ、及び係合部高さ２０ｈを備えている。
【００３５】
汎用のアクセサリーシューでは、係合部材２０の係合部間隔２０ｐ、内側側壁間隔２０ｗ、及び係合部高さ２０ｈは、規格によって規定されている。換言すれば、アクセサリーシュー１３に係合するアクセサリの接続プラグでは、信号端子コネクタ２３との接続端子を含む接続部の外形形状を、係合部材２０の係合部間隔２０ｐ、内側側壁間隔２０ｗ及び係合部高さ２０ｈで規定される範囲内に納めなければならない。一方、多極化された信号端子コネクタ２３の接続端子は、係合部高さ２０ｈと係合部間隔２０ｐとで規定される面内で接点部が露出するように構成される必要がある。
【００３６】
そこで、本実施の形態では、信号端子コネクタ２３を、信号端子ステージ２７の接点２１よりもＺ方向前方に配置し、Ｚ方向に対向する第１の接点面と、該第１の接点面に対し所定角度で傾斜する第２の接点面を設け、第１及び第２の接点面に接続端子を設けた。各接続端子の配置位置の詳細については、後述する。
【００３７】
図４は、アクセサリーシュー１３を説明するための図であり、図４(ａ）は、平面図、図４（ｂ）は、図４(ａ）のＡ−Ａ線に沿った断面図である。
【００３８】
図４（ａ）において、トップカバー２８に固定される汎用のアクセサリーシューは、規格によって、係合部材２０の係合部間隔２０ｐ、内側側壁間隔２０ｗ、及び係合部長さ２０ｄが規定されている。外部ストロボ用のシンクロナイザ接点２１は、係合部材２０の略中央部に位置している。シンクロナイザ接点２１の係合部材２０に対する位置関係にも規定がある。これらの規定に準拠していれば、汎用の外部ストロボを装着することができる。
【００３９】
図４(ｂ）において、トップカバー２８に固定される係合部材２０における係合部高さ２０ｈは、規格によって規定されている。係合部材２０内に配置されたシンクロナイザ接点２１は、合成樹脂材料で形成された信号端子ステージ２７に保持されている。信号端子コネクタ２３は、電子ビューファインダ１５の装着方向であるＺ方向において信号端子ステージ２７、及び係合穴２４より前方に配置されている。信号端子コネクタ２３の接点面３６ａは、信号端子ステージ２７よりＹ方向上方で、係合部材２０の内側の係合部高さ２０ｈに収められている。
【００４０】
次に、信号端子コネクタ２３、特に、信号端子コネクタ２３における接続端子の配置について説明する。
【００４１】
図５は、信号端子コネクタ２３を説明するための図であって、図５（ａ）は、斜視図、図５（ｂ）は、図５（ａ）の信号端子コネクタ２３をＺ方向から見た正面図である。
【００４２】
図５において、信号端子コネクタ２３のＸ方向の幅は、係合部材２０における係合部間隔２０ｐよりも幅広になっており、これによっても、高画素化、高フレームレート化に伴って多極化した電子ビューファインダの接続プラグに対応するものとなっている。
【００４３】
信号端子コネクタ２３には、電子ビューファインダ１５の装着方向であるＺ方向に直角に交叉するＸ方向に沿った第１の接点面３６が設けられている。第１の接点面３６から、複数の接続端子からなる第１の端子列３６ａが露出している。電子ビューファインダ１５の装着方向の手前側に、Ｘ方向と直交するＹ方向の下方にずらして第１の接点面３６に対して所定角度でＹ方向（所定方向）に傾斜した第２の接点面３８が設けられている。Ｙ方向の下方とは、第２の接点面３８に傾斜方向において第１の接点面３６に近い側を上方としたとき、第２の接点面３８に傾斜方向において第１の接点面３６から遠い側になる。所定角度は、例えば、９０〜１８０度の範囲内の角度である。第２の接点面３８から、複数の接続端子からなる第２の端子列３８ａが露出している。第１の端子列３６ａと第２の端子列３８ａの端子は、個々の端子が相互に千鳥状に配置された千鳥配列となっている。第１の端子列３６ａと第２の端子列３８ａの端子が並ぶ方向はＸ方向である。
【００４４】
第２の接点面３８は、第１の接点面３６に対し、例えば、１２０°傾斜した面である。第１の接点面３６と第２の接点面３８の間に第３の平面３７が設けられている。第３の平面３７には電子ビューファインダ１５の接続プラグ１５ａとの組み合わせを規制する嵌合部材としての嵌合キー４０が設けられている。嵌合キー４０に近接する、例えば、Ｘ方向の前後に位置する第１列側の端子３６ｂと、第２列側の端子３８ｂ、３８ｃの３つの端子の少なくともいずれかは、電子ビューファインダ１５の接続プラグ１５ａが接続されたことを検出する検出信号端子として機能する。
【００４５】
検出信号端子が、電子ビューファインダ１５が撮像装置１０に接続されたことを検出しなければ、電子ビューファインダ１５と撮像装置１０との通信は許可されない。従って、例えば、異なる２つの撮像装置とアクセサリにおいて、同一形状の接続プラグと信号端子コネクタを用いる場合でも、嵌合キーの位置を変更すれば、容易に組み合わせを限定することができる。第１の接点面３６又は第２の接点面３８と隣接する第３の平面３７に設けられた嵌合キー４０を用いて装着されるプラグの形状を規制する構成によって、例えば、上述の３つの端子の１つを検出信号端子として選択することができるので、選択の自由度が向上する。
【００４６】
信号端子コネクタ２３には、フレキシブル基板３０（図２（ａ））と電気的に接合されるリード部３６ｄ（後述する図６（ａ）参照）、及びリード部３８ｄよりも上側に、全周のフランジ部４１が形成されている。フランジ部４１には、Ｙ方向に伸延する一対の位置決め部３９が形成されている。位置決め部３９は、Ｘ方向において、フレキシブル基板３０と接合されるリード部３６ｄ、３８ｄより外側にあり、且つ、係合部材２０のＹ方向の投影面積内に設けられている。位置決め部３９は、信号端子コネクタ２３と係合部材２０とを位置決めする。すなわち、信号端子コネクタ２３の位置決め部３９が係合部材２０の図示省略した係合穴と係合することによって、係合部材２０に対して信号端子コネクタ２３が直接、位置決めされる。従って、電子ビューファインダ１５の装着時には、信号端子コネクタ２３に対する電子ビューファインダ１５の接続プラグ１５ａの位置は、１対１に定まる。
【００４７】
次に、信号端子コネクタ２３の接続端子の詳細について説明する。
【００４８】
図６は、信号端子コネクタ２３の接続端子を示す図であって、図６（ａ）は、図５（ｂ）におけるＡ−Ａ線に沿った断面図、図６（ｂ）は、図５（ｂ）におけるＢ−Ｂ線に沿った断面図である。
【００４９】
図６（ａ）において、第１の接点面３６は、電子ビューファインダ１５の装着方向であるＺ方向に直角に交叉している。第１の接点面３６は、第２の接点面３８よりＹ方向で上方に位置している。信号端子コネクタ２３の第２の接点面３８の稜線より下側の高さ２３ｉは、図２に示した信号端子ステージ２７の高さと略同等である。信号端子コネクタ２３の接続端子は、図３（ｂ）で説明した係合部高さ２０ｈと係合部間隔２０ｐの面内で接点部が露出していなければならない。従って、第２の接点面３８の稜線より上側の高さは、係合部材２０の係合部高さ２０ｈによって規定されている。なお、第２の接点面３８の傾斜面の下側の稜線は、アクセサリの接続プラグ１５ａの下側面と同一の高さとなっている。
【００５０】
第３の平面３７には穴部２３ｒが設けられている。端子３６ｂを含む第１の端子列３６ａは、信号端子コネクタ２３のハウジング２３ａに対しＹ方向下方、かつフランジ部４１側から挿入して組み付けられ、保持されている。第１の端子列３６ａを信号端子コネクタ２３のハウジング２３ａに組み付ける際、第３の平面３７に、各端子に対応する穴部２３ｒが設けられているので、接点部分がハウジング２３ａに干渉することはない。第３の平面３７には、複数の穴部２３ｒを避けて嵌合キー４０が設けられている。
【００５１】
図６（ｂ）において、第２の接点面３８は、第１の接点面３６に対し所定角度、例えば１２０度傾斜している。第３の平面３７には、複数の穴部２３ｒが設けられているために(図５（ａ）参照）ある程度の長さが必要である。従って、信号端子コネクタ２３の大きさを一定の範囲内に収めようとすれば、第２の接点面３８における接続端子の配列方向であるピッチ方向と直交する長さ方向の寸法は、制約を受けることになる。
【００５２】
そこで、本実施の形態では、第２の接点面３８のピッチ方向に直交する長さ３８ｍを確保するために、第２の接点面３８を、第１の接点面３６に対して所定角度傾斜させることにしている。これによって、第２列側の端子３８ａの接点面の接触長さ３８ｌを十分確保することができる。
【００５３】
また、傾斜角度を最適化することによって、第１の接点面３６と第２の接点面３８は、信号端子ステージ２７よりもＹ方向で上方で、係合部材２０の内側の係合部高さ２０内に収容されるようになる。
【００５４】
また、例えば、嵌合キー４０を第１の端子列３６ａと第２の端子列３８ａの端子ピッチ方向の外側に設けると、信号端子コネクタ２３は大型化してしまう。図６（ａ）に示したように、第３の平面３７の第１の端子列３６ａ及び第２の端子列３８ａの両端内に、嵌合キー４０を設けたことによって、嵌合キー４０は端子ピッチに影響することなく設けることができる。このような構成にすることによって、信号端子コネクタ２３は、係合部材２０の形状が規定されているアクセサリーシュー１３の範囲内において、大型化することなく、多極化することができる。
【００５５】
次に、電子ビューファインダ１５をアクセサリーシュー１３に装着した状態について説明する。
【００５６】
図７は、電子ビューファインダ１５の接続プラグ１５ａをアクセサリーシュー１３の係合部材２０に装着した状態を説明する図であり、図７（ａ）は斜視図である。図７（ｂ）は、信号端子コネクタ２３の第２の端子列と、接続プラグ１５ａの端子の接続状態を示す断面図である。
【００５７】
図７（ａ）において、Ｘ方向の幅が、係合部間隔２０ｐよりも幅広の信号端子コネクタ２３を備えるアクセサリーシュー１３の係合部材２０に、電子ビューファインダ１５の接続プラグ１５ａが装着されている。
【００５８】
また、図７（ｂ）において、信号端子コネクタ２３の第２の端子列と、接続プラグ１５ａの端子との接続状態を示す上述の図５（ｂ）におけるＢ−Ｂ線に沿った断面が示されている。電子ビューファインダ１５の接続プラグ１５ａに設けられたプラグ側端子５３は、先端部５３ａが信号端子コネクタ２３の第２列側の端子３８ｂの接点面と接触している。接続プラグ１５ａが、係合部材２０に装着される際のＺ方向への移動に伴い、プラグ側端子５３の先端部５３ａは、信号端子コネクタ２３の端子３８ｂの接点部の接触長さ３８ｌ(図６（ｂ）参照）の中で接点面内を移動する、いわゆるワイピング動作を行う。
【００５９】
第２列側の端子３８ｂの接点面の接触長さ３８ｌを十分に確保することにより、該第２列側の端子３８ｂの接点面に付着した異物を除去して安定した接触が可能となる。また、第２の接点面３８を第１の接点面３６に対して傾斜させたことによって、第２列側の端子３８ｂの接点面の有効接触長さ３８ｌを、信号端子コネクタ２３のＺ方向の長さ２３ｄ（図６（ｂ）参照）に対して、比較的長く確保できる。これによって、第２列側のいずれかの端子３８ｂにＧＮＤ端子を設けて、第２列側の端子のうち他の端子より先行して接続プラグ側の端子と接続させることが容易となる。この結果、プラグ側端子５３の先端部５３ａが端子３８ｂの接点面に接触する際に発生し易いノイズを抑制することができる。
【００６０】
次に、信号端子コネクタ２３に接続される電子ビューファインダ１５の接続プラグ１５ａについて説明する。
【００６１】
図８は、電子ビューファインダ１５の接続プラグ１５ａを説明するための図であり、図８（ａ）は、接続プラグ側から見た電子ビューファインダの斜視図、図８（ｂ）は、接続プラグ１５ａの端子を示す部分拡大図である。
【００６２】
図８（ａ）において、電子ビューファインダ１５は、電子ビューファインダ本体５２、接続プラグ１５ａ、及び接眼部５１を備えている。電子ビューファインダ本体５２は、視度を調整する図示省略した光学ユニットを保持している。撮影者は、接眼部５１に表示される撮像画像を見ることができる。
【００６３】
図８（ｂ）において、接続プラグ１５ａは、端子列を保持するベース部５４を備えている。ベース部５４には傾斜面５８、平面部５７、及び信号端子コネクタ２３の第１の接点面３６に対向する平面６２が設けられている。傾斜面５８は、信号端子コネクタ２３の第２の接点面３８に対向する面である。傾斜面５８には、信号端子コネクタ２３の第２列側の端子３８ａと接続される端子列５９が露出している。平面部５７は、信号端子コネクタ２３の第３の平面３７に対向する面である。信号端子コネクタ２３の第１の接点面３６に対向する平面６２には、信号端子コネクタ２３の第１の端子列３６ａに接続される端子列６１が露出している。
【００６４】
信号端子コネクタ２３の第１の接点面３６に対向する平面６２の一部は、端子列６１の先端保護部５４ｆを構成している。ベース部５４には、信号端子コネクタ２３の第３の平面３７に設けられた嵌合キー４０（図５（ａ））に対応する凹部５６が端子５５内に形成されている。凹部５６が設けられた端子５５は、信号端子コネクタ２３の第１列側の端子３６ｂと接続される検出信号端子となる。嵌合キー４０に対応する凹部５６の幅は、別の端子の凹部６０と比較して幅方向の寸法が異なる。このような構成によって、上述したように、同一形状の信号端子コネクタ、及び接続プラグを用いる場合でも、嵌合キーの位置を変更することによって、組み合わせを限定することができる。
【００６５】
本実施の形態によれば、電子ビューファインダ１５の装着方向に直交する第１の接点面３６と、第１の接点面３６対し所定角度で傾斜した第２の接点面３８を設け、第１の接点面及び第２の接点面に接続端子を設けた。また、第２の接点面３８を第１の接点面３６対してＹ方向にずらして設け、規格で規定される汎用のアクセサリーシューの内側側壁間隔（２０ｗ）と係合部高さ（２０ｈ）内に収容した。これによって、信号端子コネクタ２３を大型化又は狭ピッチ化することなく、アクセサリーシュー１３の係合部内で、信号端子コネクタ２３を多極化することができる。
【００６６】
また、本実施の形態によれば、嵌合キー４０を第１の接点面３６と第２の接点面３８の間の平面３７に設けた。これによって、アクセサリーシュー１３の係合部間隔２０ｐ、内側側壁間隔２０ｗ、及びと係合部高さ２０ｈ内において接続端子ピッチに影響することなく、嵌合キー４０を設けることができる。
【００６７】
また、本実施の形態によれば、上記構成によって、第１列側の端子３６ｂの接点面の露出長さ３６ｌ、及び第２列側の端子３８ａの接点面の接触長さ３８ｌとして必要長さを確保できるので、信号端子コネクタ２３と接続プラグ１５ａとの接続が安定する。また、第２列側の端子３８ａの接点面の接触長さ３８ｌが十分確保できるので、第２列側のいずれかの端子３８ｂにＧＮＤ端子を設けて、他の端子より先行して接続プラグ１５ａのプラグ側端子５３と接続させることができる。これによって、プラグ側端子５３の先端部５３ａが端子３８ｂの接点面に接触する際に発生し易いノイズを抑制することができる。
【符号の説明】
【００６８】
１０  撮像装置
１３  アクセサリーシュー
１５  電子ビューファインダ
１５ａ  接続プラグ
２０  係合部材
２１  シンクロナイザ接点
２３  信号端子コネクタ
２７  信号端子ステージ
２８  トップカバー
３０  フレキシブル基板
３６  第１の接点面
３８  第２の接点面
３９  位置決め部
４０  嵌合キー
【図１】
0006716271.tif 000002
【図２】
0006716271.tif 000003
【図３】
0006716271.tif 000004
【図４】
0006716271.tif 000005
【図５】
0006716271.tif 000006
【図６】
0006716271.tif 000007
【図７】
0006716271.tif 000008
【図８】
0006716271.tif 000009